(57)【要約】【課題】  低コストなスキャナおよびスキャナ付プリンタを提供する。【解決手段】  この発明に従ったスキャナ付プリンタは、スキャナ本体ベースと、ブラケット２９と、１段目ギア４３および２段目ギア４５と、プーリ２３と、ベルト２７と、モータ３１と、バネ３７とを備える。ブラケット２９は、スキャナ本体ベースに移動可能に設置される。１段目ギア４３および２段目ギア４５はブラケット２９に配置される。プーリ２３は、ブラケット２９から間隔を隔てて、スキャナ本体ベースに固定される。ベルト２７は、プーリ２３と２段目ギア４５とに架け渡される。ベルト２７は１段目ギア４３および２段目ギア４５の回転に伴って駆動されることによりイメージセンサを移動させる。モータ３１は１段目ギア４３および２段目ギア４５を回転させる。バネ３７は、プーリ２３から離れる方向にブラケット２９を付勢する。【選択図】        図４
2006072141.tif 000002
【特許請求の範囲】
【請求項１】
スキャナ部とプリンタ部とを備えるスキャナ付プリンタであって、
スキャナ部を構成し、凹部が形成されたベース部材と、
前記ベース部材に、回転軸を中心として回転可能に設置されるとともに、開口部が形成された基板と、
前記基板に配置されたギアと、
前記基板から間隔を隔てて、前記ベース部材に設置された滑車と、
前記滑車と前記ギアとに架け渡され、前記ギアの回転に伴って駆動されることによりイメージセンサを移動させるベルトと、
前記凹部の内部に配置され、前記ギアを回転させるモータと、
前記滑車から離れる方向に前記基板を付勢する付勢部材と、
前記基板の前記開口部に挿入されるとともに前記ベース部材に固定される挿入部とを備え、
前記開口部の平面形状は、前記回転軸を中心とした円の円周方向に沿って延びる円弧状である、スキャナ付プリンタ。
【請求項２】
ベース部材と、
前記ベース部材に、移動可能に設置される基板と、
前記基板に配置されたギアと、
前記基板から間隔を隔てて、前記ベース部材に設置された滑車と、
前記滑車と前記ギアとに架け渡され、前記ギアの回転に伴って駆動されることによりイメージセンサを移動させるベルトと、
前記ギアを回転させるモータと、
前記滑車から離れる方向に前記基板を付勢する付勢部材とを備える、スキャナ。
【請求項３】
前記基板には、前記基板の回転運動を規制するための開口部が形成され、
前記基板の前記開口部に挿入されるとともに前記ベース部材に固定される挿入部を備える、請求項２に記載のスキャナ。
【請求項４】
前記基板は、回転軸を中心として回転可能に前記ベース部材に設置されており、
前記開口部の平面形状は、前記回転軸を中心とした円の円周方向に沿って延びる円弧状である、請求項３に記載のスキャナ。
【請求項５】
前記モータは、前記ベース部材に固定されている、請求項２〜４のいずれか１項に記載のスキャナ。
【請求項６】
前記ベース部材には、前記モータが配置される凹部が形成され、
前記モータは、前記ベース部材の前記凹部の内部に配置されている、請求項５に記載のスキャナ。
【請求項７】
前記モータは、前記基板上に固定されている、請求項２〜４のいずれか１項に記載のスキャナ。
【発明の詳細な説明】
【技術分野】
【０００１】
この発明は、スキャナおよびスキャナ付プリンタに関し、より特定的には、画像読取装置を移動させる機構を備えるスキャナおよびスキャナ付プリンタに関する。
【背景技術】
【０００２】
従来、スキャナまたはスキャナ付プリンタなど、原稿などに形成された画像を読取るイメージセンサや光源などを含む画像読取装置を備える電子機器が知られている。このような画像読取装置は、スキャナなどのガラス面下に配置される。そして、当該ガラス面上に配置された原稿の画像を読取るため、ガラス面の全体を走査するように画像読取装置は移動される。このように画像読取装置を移動させるため、従来、モータなどの駆動源から画像読取装置の駆動機構へ駆動力を伝達するため、ギアや無端ベルトなどが用いられていた（たとえば、特許文献１〜３参照）。
【特許文献１】特開平６−２６６０２１号公報
【特許文献２】特開２００１−２９５９００号公報
【特許文献３】特開２００４−８５８９０号公報
【発明の開示】
【発明が解決しようとする課題】
【０００３】
上述のように、駆動源から駆動力を伝達するために無端ベルトを用いる場合、正確な動作を担保するため当該無端ベルトに所定の張力をかけておく必要がある。このような張力を確保するため、従来は、無端ベルトが架け渡される一方の滑車を移動可能にしておき、当該滑車に対してばねなどを用いて応力を加えることにより所定の張力を発生させる（たとえば、特許文献１参照）、２つの無端ベルトの間で駆動力を伝達する滑車が搭載された基体に、ばねなどを用いて所定の方向へ応力を加えることで、無端ベルトでの所定の応力を発生させる（たとえば、特許文献２、３参照）、といった方法が提案されている。
【０００４】
しかし、上述した従来の手法では、滑車を移動可能に配置するための基体やばねなど、無端ベルトにおいて所定の張力を発生させるために複数の部材を準備する必要があり、駆動力を伝達する機構（駆動力伝達機構）の構造が複雑になっていた。この結果、駆動力伝達機構の製造工程が複雑化するとともに、部品のコストも増えるため、スキャナまたはスキャナ付プリンタなどの製造コストが上昇することになっていた。
【０００５】
この発明は、上記のような課題を解決するために成されたものであり、この発明の目的は、低コストなスキャナまたはスキャナ付プリンタを提供することである。
【課題を解決するための手段】
【０００６】
この発明に従った、スキャナ部とプリンタ部とを備えるスキャナ付プリンタは、ベース部材と基板とギアと滑車とベルトとモータと付勢部材と挿入部とを備える。ベース部材は、スキャナ部を構成し、凹部が形成されたものである。基板は、ベース部材に、回転軸を中心として回転可能に設置される。基板には開口部が形成されている。ギアは基板に配置される。滑車は、基板から間隔を隔てて、ベース部材に設置される。ベルトは、滑車とギアとに架け渡される。ベルトはギアの回転に伴って駆動されることにより、イメージセンサを移動させるものである。モータは、凹部の内部に配置され、ギアを回転させるものである。付勢部材は滑車から離れる方向に基板を付勢する。挿入部は、基板の開口部に挿入されるとともにベース部材に固定される。開口部の平面形状は、回転軸を中心とした円の円周方向に沿って延びる円弧状である。
【０００７】
このようにすれば、回転軸を中心として滑車から離れる方向に基板を押圧できるので、基板のギアと滑車とに架け渡されたベルトにおいて張力を発生させることができる。また、もともとギアが配置されていた基板を回転可能とすることで、ばねなどの付勢部材を用いてベルトに張力を発生させるので、滑車を移動可能な可動ハウジング上に配置し、ばねなどの付勢部材を用いて当該可動ハウジングに応力を加えることによりベルトに張力を発生させる場合より部品点数を少なくできる。このため、スキャナ付プリンタの製造コストを低減できる。
【０００８】
この発明に従ったスキャナは、ベース部材と、基板と、ギアと、滑車と、ベルトと、モータと、付勢部材とを備える。基板は、ベース部材に移動可能に設置される。ギアは基板に配置される。滑車は、基板から間隔を隔てて、ベース部材に固定される。ベルトは、滑車と前記ギアとに架け渡される。ベルトはギアの回転に伴って駆動されることによりイメージセンサを移動させる。モータはギアを回転させる。付勢部材は、滑車から離れる方向に基板を付勢する。
【０００９】
このようにすれば、滑車から離れる方向に基板を付勢するので、基板のギアと滑車とに架け渡されたベルトにおいて張力を発生させることができる。また、もともとギアが配置されていた基板を移動可能とすることで、付勢部材を用いてベルトに張力を発生させるので、滑車を移動可能な可動ハウジング上に配置し、ばねなどの付勢部材を用いて当該可動ハウジングに応力を加えることによりベルトに張力を発生させる場合より部品点数を少なくできる。このため、スキャナの製造コストを低減できる。
【００１０】
上記スキャナにおいて、基板には、基板の回転運動を規制するための開口部が形成されていてもよい。また、上記スキャナは、基板の開口部に挿入されるとともにベース部材に固定される挿入部を備えていてもよい。
【００１１】
この場合、基板の開口部の平面形状を変更することで、基板の動き（つまり回転運動）の範囲を決定することができる。このため、基板が滑車から離れる方向に回転運動しすぎてベルトに必要以上の応力が加わることによりベルトが変形又は切断される、あるいは基板が滑車側へ近づく方向に回転運動しすぎてベルトが緩んでしまうことにより滑車からベルトが外れる、といった問題の発生確率を低減できる。
【００１２】
上記スキャナにおいて、基板は、回転軸を中心として回転可能にベース部材に設置されていてもよい。開口部の平面形状は、回転軸を中心とした円の円周方向に沿って延びる円弧状であってもよい。この場合、開口部に挿入部が挿入された状態であっても、回転軸を中心とした基板の回転運動を滑らかに行なうことができる。
【００１３】
上記スキャナにおいて、モータはベース部材に固定されていてもよい。この場合、基板にモータを配置する場合より、ギアなどが配置された基板を含む回転運動する部分の重さを小さくできる。このため、付勢部材として相対的に強い応力を発生させるものを用いる必要が無い（ギアなどが設置された基板のみを回転運動させることができる程度の、比較的弱い応力を発生させることができるような付勢部材を用いることができる）。
【００１４】
上記スキャナにおいて、ベース部材には、モータが配置される凹部が形成されていてもよく、モータは、ベース部材の凹部の内部に配置されていてもよい。このようにすれば、モータを基板上（基板においてベース部材と対向する面とは反対側の面上）に配置しないので、基板上の領域にスキャナの他の機器を配置することが可能になる。このため、スキャナの構造の自由度を大きくすることができる。
【００１５】
上記スキャナにおいて、モータは基板上に固定されていてもよい。この場合、基板上にモータとギアとが配置され、当該基板がベース部材に固定されていたような従来のスキャナの基板まわりの構造（モータおよびギアが配置された基板の構造）を流用して、本発明によるスキャナの構造を実現することが可能になる。また、この場合、基板上にモータとギアとが共に配置されているので、モータとギアとの相対的な位置関係を固定することができる。このため、モータのモータ軸に設置されたギアと基板上に配置されたギアとの接続を常時維持できるので、モータの駆動力をギアへ確実に伝達することができる。
【発明の効果】
【００１６】
この発明によれば、従来から存在していた部材である（ギアが配置された）基板自体を移動可能にベース部材に配置し、付勢部材を用いて基板に応力を加えることでベルトに所定の張力を発生させることができる。つまり、滑車を移動可能にするための移動ハウジングといった別部材を用いる必要が無いので、部品点数の削減を図ることができる。この結果、低コストなスキャナまたはスキャナ付プリンタを実現できる。
【発明を実施するための最良の形態】
【００１７】
以下、図面に基づいて本発明の実施の形態を説明する。なお、以下の図面において同一または相当する部分には同一の参照番号を付しその説明は繰返さない。
【００１８】
（実施の形態１）
図１は、本発明によるスキャナ付プリンタの実施の形態１を示す斜視模式図である。図２は、図１に示したスキャナ付プリンタの蓋を開放した状態を示した斜視模式図である。図３は、図１および図２に示したスキャナ付プリンタのスキャナ本体部において、イメージセンサが搭載された部分の構造を示す斜視模式図である。図４は、図３に示したイメージセンサを移動させるための駆動機構を示す模式図である。図５は、図４の線分Ｖ−Ｖにおける断面模式図である。図６は、図４の線分ＶＩ−ＶＩにおける断面模式図である。図１〜図６を参照して、本発明によるスキャナ付プリンタを説明する。
【００１９】
図１および図２に示すように、本発明によるスキャナとしてのスキャナ付プリンタは、本体部１と、この本体部１上に開閉可能に設置された蓋７とを備える。本体部１は、プリンタ部としてのプリンタ本体部５と、このプリンタ本体部５の上に設置されたスキャナ部としてのスキャナ本体部３とからなる。プリンタ本体部５の内部には、用紙に所定の画像を印刷するための印刷機構が配置される。プリンタ本体部５の前面には、画像が印字された用紙が排出される用紙排出口６が形成されている。また、蓋７の上部表面には、給紙トレイ９とガード部材１１とが設置されている。
【００２０】
スキャナ本体部３の上部表面には、図２に示すようにガラス板４が設置されている。このガラス板４上に、画像や文字などが形成されたシート状の紙などの読出対象物を搭載する。このガラス板４下には、画像を読取るためのイメージセンサ１５が設置されている。このイメージセンサ１５は、矢印２１に示す方向に移動可能となっている。
【００２１】
次に、図３〜図６を参照して、イメージセンサ１５を移動させる駆動機構について説明する。図３に示すように、イメージセンサ１５は、スキャナ本体部３（図１参照）を構成するベース部材としてのスキャナ本体ベース１３の内部に設置されている。イメージセンサ１５下には、台座部材１８が接続されている。この台座部材１８は、イメージセンサ１５が延びる方向とほぼ垂直な方向に延びるガイド棒１７と嵌合した状態となっている。このガイド棒１７はスキャナ本体ベース１３に接続固定されている。ガイド棒１７の一方端は、スキャナ本体ベース１３の固定部１９により固定されている。また、ガイド棒１７に隣接する部分には、ガイド棒１７に沿った状態で（ガイド棒１７の延びる方向と同じ方向に延びるように）、イメージセンサ１５を矢印２１に示した方向に移動するためのベルト２７が配置されている。
【００２２】
ベルト２７はループ状になっている。ベルト２７の一部は、スキャナ本体ベース１３の凹部１４内の端部に固定された滑車としてのプーリ２３に巻付けられた状態となっている。プーリ２３はプーリ軸２５を中心として回転可能になっている。また、プーリ軸２５はスキャナ本体ベース１３の底壁に接続固定されている。また、ベルト２７は、プーリ２３から間隔を隔てて配置された基板としてのブラケット２９に配置された２段目ギア４５（図４参照）にも巻付けられた状態となっている。つまり、ベルト２７は、プーリ２３と、２段目ギア４５とに架け渡されている。ベルト２７は、２段目ギア４５の回転に伴って駆動されることによりイメージセンサ１５を移動させるものである。
【００２３】
固定ネジ３１がブラケット２９に形成された孔を介してスキャナ本体ベース１３のボス部５８（図５参照）に挿入固定されることにより、ブラケット２９はスキャナ本体ベース１３に接続されている。なお、ブラケット２９はこの回転軸としての固定ネジ３１を中心として図４の矢印４７に示す方向に回転可能になっている。固定ネジ３１の配置は、任意に決定することができる。たとえば、固定ネジ３１を、図４に示すようにベルト２７の延びる方向から見てベルト２７と重ならない位置（プーリ２３と２段目ギア４５の２段目ギア軸６２（図６参照）とを結ぶ直線と重ならない位置）に配置してもよい。この場合、ベルト２７が（張力を発生させるために）伸ばされる方向と重ならない位置にブラケット２９の回転軸を配置することになるので、ブラケット２９の回転軸を中心とした回転運動によりベルト２７において容易に張力を発生させることができる。また、ブラケット２９の回転軸として固定ネジ３１を用いているが、ブラケット２９を回転可能にスキャナ本体ベース１３へ接続することができれば、他の接続構造を用いてもよい。
【００２４】
次に、図４〜図６を参照して、このブラケット２９の構造をより詳しく説明する。樹脂製のブラケット２９には、ギアとしての１段目ギア４３および２段目ギア４５が取付けられている。そして、このブラケット２９下のスキャナ本体ベース１３には、モータ３９を配置するための凹部４９が形成されている。この凹部４９の内部に、１段目ギア４３および２段目ギア４５を回転させるためのモータ３９が設置されている。このようにすれば、ブラケット２９にモータ３９を設置する場合より、固定ネジ３１を中心として回転運動する部分の重さ（ブラケット２９を含む部分の重さ）を小さくできる。このため、バネ３７として相対的に強い応力を発生させるものを用いる必要が無く、比較的小さなバネを用いることができる。また、モータ３９をブラケット２９上（ブラケット２９においてスキャナ本体ベース１３と対向する面とは反対側の面上）に配置しないので、ブラケット２９上の領域にスキャナ本体部３の他の機器を配置することが可能になる。このため、スキャナ本体部３の構造の自由度を大きくすることができる。
【００２５】
モータ３９の上部の外縁部にはフランジ部５１（図５参照）が形成されている。このフランジ部５１には図示しない孔が形成されている。当該孔を挿通するようにネジが挿入され、このネジがスキャナ本体ベース１３に接続固定されることにより、モータ３９はスキャナ本体ベース１３に固定されている。
【００２６】
モータ３９のモータ軸４０の先端部にはモータギア４１が固定されている。このモータギア４１と接触するように、１段目ギア４３を構成する大径ギア５５が配置されている。この１段目ギア４３は、上述した大径ギア５５と、この大径ギア５５よりも小さな直径を有する小径ギア５６とからなる。この大径ギア５５および小径ギア５６の中心は重なるように配置され、互いに固定されている。上記中心には１段目ギア軸５３が配置されている。１段目ギア４３は上記１段目ギア軸５３によりブラケット２９に接続されている。なお、１段目ギア４３は１段目ギア軸５３を中心に回転可能となっている。
【００２７】
そして、ブラケット２９には、この１段目ギア４３と接触するように（具体的には１段目ギア４３の小径ギア５６と接触するように）２段目ギア４５が設置されている。２段目ギア４５は、１段目ギア４３の小径ギア５６と接触するように配置された大径ギア６０と、この大径ギア６０よりも小さな直径を有し、大径ギア６０の中心と同じ位置に中心が配置された小径ギア６１とからなる。大径ギア６０および小径ギア６１はそれぞれ２段目ギア軸６２によりブラケット２９に接続されている。大径ギア６０および小径ギア６１は互いに接続固定されており、２段目ギア軸６２を中心に回転可能となっている。なお、図示してはいないが、モータギア４１、大径ギア５５、６０、小径ギア５６の外周面は、互いにかみ合う複数の歯が形成されている。また、２段目ギア４５を構成する小径ギア６１の外周面は、歯車状ではなくベルト２７を巻付かせることができるように溝状の構造となっている。この結果、モータ３９により発生する駆動力は、モータ軸４０およびモータギア４１から１段目ギア４３および２段目ギア４５を介してベルト２７に伝えられる。
【００２８】
ここで、上述のようにブラケット２９は固定ネジ３１が配置された位置を中心として図４の矢印４７に示す方向に移動（回転運動）可能となっている。また、ブラケット２９には、ブラケット２９の回転運動の移動範囲を規制するための開口部３５が形成されている。開口部３５は、固定ネジ３１を中心とした円の円周方向に沿って延びる円弧状の平面形状を有している。この開口部３５を介してブラケット２９の上面からスキャナ本体ベース１３へと到達して固定される、挿入部としてのガイドネジ３３が配置されている。このようにすれば、開口部３５に挿入部としてのガイドネジ３３が挿入された状態であっても、固定ネジ３１を中心としたブラケット２９の回転運動を滑らかに行なうことができる。なお、開口部３５に挿入されてブラケット２９の回転運動の範囲を規制することができれば、このようなガイドネジ３３以外の構造、たとえばスキャナ本体ベース１３の表面から開口部３５へ挿入されるように形成された凸部、といった構造を用いてもよい。
【００２９】
このようにすれば、基板としてのブラケット２９の開口部３５の平面形状を変更することで、ブラケット２９の動き（つまり回転運動）の範囲を決定することができる。このため、ブラケット２９が滑車としてのプーリ２３から離れる方向に回転運動しすぎてベルト２７に必要以上の応力が加わることにより、ベルト２７が変形する又は切断される、あるいはブラケット２９がプーリ２３側へ近づく方向に回転運動しすぎてベルト２７が緩んでしまうことによりプーリ２３からベルト２７が外れる、といった問題の発生確率を低減できる。
【００３０】
また、この開口部３５に隣接する位置には、ブラケット２９に対して矢印４８に示す方向の応力を加えるための付勢部材としてのバネ３７が配置されている。バネ３７は、その一方端がブラケット２９と接続された固定部３８ａとなっており、他方端がスキャナ本体ベース１３と接続された固定部３８ｂとなっている。このような構成とすることにより、バネ３７の弾性力によりブラケット２９を矢印４８に示した方向へ固定ネジ３１の位置を中心として移動するような応力をブラケット２９へ加えることができる。このため、ベルト２７に対して所定の張力を加えることができる。なお、バネ３７に代えて、ブラケット２９へ矢印４８に示す方向へ応力を加えることができれば、バネ３７のようなつるまきバネ以外の任意の弾性体を用いてもよい。
【００３１】
ここで、従来のイメージセンサの駆動部の構成と対比しながら、本発明によるスキャナ付プリンタの効果を説明する。図１０は、比較例としての従来のスキャナ付プリンタにおけるイメージセンサの駆動部の構造を示す模式図である。図１１は、図１０の線分ＸＩ−ＸＩにおける断面模式図である。図１０および図１１を参照して、比較例としてのイメージセンサの駆動部を説明する。なお、図１０および図１１は、それぞれ図４および図５に対応する。
【００３２】
図１０および図１１に示した比較例としてのイメージセンサの駆動部は、基本的には図４および図５に示した本発明によるイメージセンサの駆動部と同様の構造を備えるが、ブラケット２９は固定用ネジ６３によりスキャナ本体ベース１３に完全に固定されている点、プーリ２３がスキャナ本体ベース１３に対して相対的に移動可能なアイドラハウジング６５に設置され、このアイドラハウジング６５がバネ６７により矢印７１に示す方向に応力を受けている点が大きく異なる。なお、バネ６７はその一方端部がアイドラハウジング６５に接触し、他方がスキャナ本体ベース１３に形成された固定部６９に接触している。このような構成により、バネ６７の弾性力によってベルト２７において張力を発生させている。また、図１１から分かるように、比較例としてのイメージ船さの駆動部では、ブラケット２９の上部表面上にモータ３９が配置され、このモータ３９のフランジ部５１がネジ５２によりブラケット２９に接続固定されているという点も、図４〜図６に示した本発明による駆動部と異なっている。
【００３３】
このように、従来はスキャナ本体ベース１３に対して移動可能なアイドラハウジング６５上にプーリ２３を配置し、バネ６７を用いてこのアイドラハウジング６５を矢印７１に示す方向に付勢することにより、ベルト２７において張力を発生させていた。しかし、このような比較例としての駆動機構においては、ベルト２７における張力を発生させるためにアイドラハウジング６５などの部材が必要である。一方、本発明による図４および図５に示した駆動機構部では、上述したようなアイドラハウジング６５（図１０参照）は必要ではなく、ブラケット２９自体を固定ネジ３１を中心として回転可能にした上でバネ３７を配置するという比較的簡単な構成により、ベルト２７において張力を発生させることができる。このため、部品点数を比較例の場合より少なくできるので、スキャナ付プリンタの製造コストを低減できる。
【００３４】
（実施の形態２）
図７は、本発明によるスキャナ付プリンタの実施の形態２においてイメージセンサが設置された部分を説明するための模式図である。図８は、図７に示したスキャナ付プリンタにおけるイメージセンサの駆動機構を説明するための模式図である。図９は、図８の線分ＩＸ−ＩＸにおける断面模式図である。図７〜図９は、図３〜図５にそれぞれ対応する。図７〜図９を参照して、本発明によるスキャナ付プリンタの実施の形態２を説明する。
【００３５】
図７〜図９に示したスキャナ付プリンタは、基本的には本発明によるスキャナ付プリンタの実施の形態１と同様の構造を備えるが、イメージセンサ１５を駆動するための駆動部の構造が異なる。すなわち、本発明によるスキャナ付プリンタの実施の形態２においては、イメージセンサ１５の駆動部を構成するブラケット２９の上部表面上にモータ３９が配置されている。このモータ３９は、その下端の外周部に形成されたフランジ部５１がネジ５２によりブラケット２９に接続固定されている。モータ３９のモータ軸４０はブラケット２９に形成された孔を介してブラケット２９の下部表面側に突出するように配置されている。モータ軸４０の先端部にはモータギア４１が配置されている。このモータギア４１は、１段目ギア４３の大径ギア５５と接触している。なお、１段目ギア４３および２段目ギア４５の構造は、図３〜逗に示した１段目ギア４３および２段目ギア４５の構造と同様である。このような構造によっても、モータ３９の駆動力を１段目ギア４３および２段目ギア４５を介してベルト２７に伝えることができる。そして、バネ３７によりブラケット２９を矢印４８に示す方向に固定ネジ３１を中心として回転するように応力を加えることができるので、ベルト２７において所定の張力を発生させることができる。
【００３６】
このようにすれば、本発明によるスキャナ付プリンタの実施の形態１と同様の効果を得ることができる。さらに、モータ３９がブラケット２９の上部表面上に配置されているので、スキャナ本体ベース１３側にモータ３９を収納するための凹部を形成する必要がない。そのため、スキャナ本体ベース１３の構造をより簡略化することができる。また、図１０および図１１に示したような比較例のスキャナ付プリンタのブラケット２９まわりの構造（モータ３９、１段目ギア４３および２段目ギア４５が配置されたブラケット２９の構造）を流用して、本発明によるスキャナ付プリンタの構造を実現することが可能になる。また、ブラケット２９上にモータ３９と１段目ギア４３および２段目ギア４５とが共に配置されているので、モータ３９と１段目ギア４３および２段目ギア４５との相対的な位置関係を固定することができる。このため、モータ３９のモータ軸４０に設置されたモータギア４１とブラケット２９上に配置された１段目ギア４３との接続を常時維持できるので、モータ３９の駆動力を１段目ギア４３へ確実に伝達することができる。なお、上述した本発明によるイメージセンサ１５の駆動機構は、図１に示したようなスキャナ付プリンタのみではなく、スキャナや、その他イメージセンサを用いる電気機器にも適用できる。
【００３７】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００３８】
【図１】本発明によるスキャナ付プリンタの実施の形態１を示す斜視模式図である。
【図２】図１に示したスキャナ付プリンタの蓋を開放した状態を示した斜視模式図である。
【図３】図１および図２に示したスキャナ付プリンタのスキャナ本体部において、イメージセンサが搭載された部分の構造を示す斜視模式図である。
【図４】図３に示したイメージセンサを移動させるための駆動機構を示す模式図である。
【図５】図４の線分Ｖ−Ｖにおける断面模式図である。
【図６】図４の線分ＶＩ−ＶＩにおける断面模式図である。
【図７】本発明によるスキャナ付プリンタの実施の形態２においてイメージセンサが設置された部分を説明するための模式図である。
【図８】図７に示したスキャナ付プリンタにおけるイメージセンサの駆動機構を説明するための模式図である。
【図９】図８の線分ＩＸ−ＩＸにおける断面模式図である。
【図１０】比較例としての従来のスキャナ付プリンタにおけるイメージセンサの駆動部の構造を示す模式図である。
【図１１】図１０の線分ＸＩ−ＸＩにおける断面模式図である。
【符号の説明】
【００３９】
１  本体部、３  スキャナ本体部、４  ガラス板、５  プリンタ本体部、６  用紙排出口、７  蓋、９  給紙トレイ、１１  ガード部材、１３  スキャナ本体ベース、１４  凹部、１５  イメージセンサ、１７  ガイド棒、１８  台座部材、１９，６９  固定部、２１  矢印、２３  プーリ、２５  プーリ軸、２７  ベルト、２９  ブラケット、３１  固定ネジ、３３  ガイドネジ、３５  開口部、３７，６７  バネ、３８ａ，３８ｂ  固定部、３９  モータ、４０  モータ軸、４１  モータギア、４３  １段目ギア、４５  ２段目ギア、４７，４８，７１  矢印、４９  凹部、５１  フランジ部、５２  ネジ、５３  １段目ギア軸、５５，６０  大径ギア、５６，６１  小径ギア、５８  ボス部、６０  大径ギア、６２  ２段目ギア軸、６３  固定用ネジ、６５  アイドラハウジング。
【図１】
2006072141.tif 000003
【図２】
2006072141.tif 000004
【図３】
2006072141.tif 000005
【図４】
2006072141.tif 000006
【図５】
2006072141.tif 000007
【図６】
2006072141.tif 000008
【図７】
2006072141.tif 000009
【図８】
2006072141.tif 000010
【図９】
2006072141.tif 000011
【図１０】
2006072141.tif 000012
【図１１】
2006072141.tif 000013